(57)【要約】      （修正有）【課題】外からの取り外しが容易でなく、サッシに孔明け等の加工をする必要がなく、サブロックがあっても施錠効果が維持され、中からの施錠及び脱錠ができなくなるおそれがない補助錠を提供する。【解決手段】補助錠は、縦材１と横材２とで組まれたサッシを備えていて端面１１に穴３が明けられたた中側戸１０と外側戸２０との施錠に使用されるものであり、一端側が穴３に入出される軸４、軸４と本体部６とに係合するバネ５、バネ５をＸ方向に移動可能にするように長穴６４a が明けられた正面板６４、軸４をＸ2 方向に移動可能にする軸側バネ受け４２の軸移動部９、本体部を着脱可能にし横材表面２１に固定された装着部８、等で構成されている。サッシの穴を利用して容易且つ確実に施錠することができる。【選択図】図１
2007023506.tif 000002
【特許請求の範囲】
【請求項１】
縦材と横材とで組まれたサッシを備えた中側戸と外側戸とで横方向に引き違いに建物の中と外とを仕切るように形成された戸であって前記中側戸の前記縦材のうち施錠される側のものである中縦材の端面から該端面に前記横方向に前記中縦材と前記横材とを組み立てるための穴を備えた戸の補助錠において、
軸と付勢部材と本体部と装着部と軸移動部とを有し、
前記軸は、前記本体部が前記装着部に装着されているときに、一端側が前記穴に入出可能で前記端面方向の動きが拘束されるように前記本体部の支持部分と係合し、前記一端側が前記穴に入るように前記付勢部材と係合する軸側係合部を備えていて、前記一端側が前記穴に入れられているときに前記建物の中に居る人が特定の部材を使用して前記中から前記軸移動部を操作すると前記軸が他端側の方向に移動可能なように前記端面の近くまで前記本体部の囲い部分で囲われていて、
前記付勢部材は前記軸が前記他端側に動かされると前記付勢部材を付勢して前記一端側が前記穴から出るように前記軸側係合部と前記本体部の本体側係合部分とに係合していて、
前記本体部は前記支持部分と前記囲い部分と前記本体側係合部分と前記軸が前記穴に入っているときに少なくとも前記他端側の方向への動きが停止されるように前記装着部の装着部分と係合する取付部分とを備えていて、
前記装着部は前記横材の前記中の側の面の固定位置であって前記本体部が取り付けられたときに前記軸を前記穴に入出可能にする固定位置に固定される固定部分と前記装着部分とを備えていて、
前記軸移動部は前記建物の中に居る人が前記中から操作すると前記軸を前記他端側の方向に移動可能なように形成されている、
ことを特徴とする補助錠。
【請求項２】
前記囲い部分のうちの前記一端側の端から一部分の範囲のものは前記端面から離れる方向に回転可能な開閉部分として形成されていることを特徴とする請求項１に記載の補助錠。
【発明の詳細な説明】
【技術分野】
【０００１】
本発明は、縦材と横材とで組まれたサッシを備えた中側戸と外側戸とで横方向に引き違いに建物の中と外とを仕切るように形成された戸であって前記中側戸の前記縦材のうち施錠される側のものである中縦材の端面から該端面に前記横方向に前記中縦材と前記横材とを組み立てるための穴を備えた窓や障子や出入り口等の戸の補助錠に関する。
【背景技術】
【０００２】
補助錠としては、近年の防犯意識の高まりから、本錠であるクレセントの下に予め取り付けられているスイッチ式のサブロックや、クレセント自体に取り付けられたハーフロックがある。このように予めサッシに取り付けられた補助錠の他に、そのサッシとは関係なく別個に製作された補助錠も使用されている。
【０００３】
このような補助錠としては、中障子２００の召し合わせ框２０３から離れた位置に切欠き穴を明けてその中に嵌め込んで取り付けられ、キーで施錠されるとストッパ１２が室内側に突出し、中障子２００をある程度開くとその召し合わせ框２０３の背面がストッパに当たり、中障子がそれ以上開かないようにする補助錠が示されています（特許文献１参照）
【特許文献１】特開2004- 360312（明細書の段落13等及び図１〜３）
【発明の開示】
【発明が解決しようとする課題】
【０００４】
泥棒等の侵入者は、サッシの障子部分から侵入しようとするときには、クレセントに近い部分のガラスを割ってそこから手を入れてクレセントを外し、障子を明けて中に入る。このとき、サブロックが付いていると、同様にその近くのガラスを割り、スイッチ式ロックを操作して錠を外して侵入する。この程度のことは５分以内ですることができるため、十分な防犯対策になっていない。
【０００５】
一方、特許文献１の補助錠では、サブロックの装着位置を外すためにストッパが中障子の中央端から離れた位置になっているので、クレセントとサブロックを外せば、中障子が１０cm程度開くことになるため、補助錠を外すことなく敷居から戸を外される可能性が高いこと、ストッパを突出及び退避させる構造であるため、その方向にケースの厚みが厚くなり、下框に孔を明けてその中にケースを嵌め込む必要があるので、下框への孔明け工事が必要になること、補助錠の全体をドライバーやペンチ等で強引に外される可能性も高いこと、キーを使用するので家の中でもキーを紛失して脱錠や施錠ができなくなるおそれもあること、等の問題がある。
【０００６】
そこで本発明は、従来技術における上記問題を解決し、外からの取り外しが容易でなく、サッシに孔明け等の加工をする必要がなく、サブロックがあっても施錠効果が維持され、中からの施錠及び脱錠ができなくなるおそれがない補助錠を提供することを課題とする。
【課題を解決するための手段】
【０００７】
本発明は上記課題を解決するために、請求項１の発明は、  縦材と横材とで組まれたサッシを備えた中側戸と外側戸とで横方向に引き違いに建物の中と外とを仕切るように形成された戸であって前記中側戸の前記縦材のうち施錠される側のものである中縦材の端面から該端面に前記横方向に前記中縦材と前記横材とを組み立てるための穴を備えた戸の補助錠において、
軸と付勢部材と本体部と装着部と軸移動部とを有し、
前記軸は、前記本体部が前記装着部に装着されているときに、一端側が前記穴に入出可能で前記端面方向の動きが拘束されるように前記本体部の支持部分と係合し、前記一端側が前記穴に入るように前記付勢部材と係合する軸側係合部を備えていて、前記一端側が前記穴に入れられているときに前記建物の中に居る人が特定の部材を使用して前記中から前記軸移動部を操作すると前記軸が他端側の方向に移動可能なように前記端面の近くまで前記本体部の囲い部分で囲われていて、
前記付勢部材は前記軸が前記他端側に動かされると前記付勢部材を付勢して前記一端側が前記穴から出るように前記軸側係合部と前記本体部の本体側係合部分とに係合していて、
前記本体部は前記支持部分と前記囲い部分と前記本体側係合部分と前記軸が前記穴に入っているときに少なくとも前記他端側の方向への動きが停止されるように前記装着部の装着部分と係合する取付部分とを備えていて、
前記装着部は前記横材の前記中の側の面の固定位置であって前記本体部が取り付けられたときに前記軸を前記穴に入出可能にする固定位置に固定される固定部分と前記装着部分とを備えていて、
前記軸移動部は前記建物の中に居る人が前記中から操作すると前記軸を前記他端側の方向に移動可能なように形成されている、
ことを特徴とする。
【０００８】
請求項２の発明は、上記に加えて、  前記囲い部分のうちの前記一端側の端から一部分の範囲のものは前記端面から離れる方向に回転可能な開閉部分として形成されていることを特徴とする。
【発明の効果】
【０００９】
以上の如く本発明によれば、請求項１の発明においては、サッシの組立用の穴が明けられた補助錠が所定の構成を備えた軸と付勢部材と本体部と装着部と軸移動部とを有するので、以下のように、補助錠を建物の中からの施錠が容易で建物の外からの脱錠が困難なものにすることができる。
【００１０】
装着部は、横部材の建物の中側の面の固定位置に固定される固定部分を備えているので、この部分を接着やねじ止め等によって固定することにより、装着部を位置決め固定することができる。この固定位置は、本体部の取付部分が装着部の装着部分と係合したときに軸を穴に入出可能にする位置であるため、固定部分が固定位置に一度固定されると、その後は、後述するように、建物の中から装着部への本体部の着脱と軸の穴への入出だけで施錠及び脱錠することができる。
【００１１】
本体部が前記装着部に装着されているときには、軸は、一端側が穴に入るように付勢部材と係合する軸側係合部を備えていてこれによって一端側が穴に入った状態になっているので、本体部を装着部に装着するときには、一端側を穴から出した状態にしておく必要がある。この場合、軸は、その一端側が穴に入出可能なように本体部の支持部分と係合していて、付勢部材は、軸が他端側に動かされると付勢部材を付勢して一端側が穴から出るように軸側係合部と本体部の本体側係合部分とに係合しているので、軸側係合部分を他端側の方向に動かすことにより、付勢部材を付勢して軸を穴から出した状態にすることができる。この状態を保持すると、本体部を装着部に装着できるので、そのようにした後、付勢部材の付勢を解除すると、付勢部材によって軸が穴に入り、これだけの操作で施錠状態が完了する。
【００１２】
この施錠状態では、軸が穴に入っていて軸は軸方向には動けるがその横断面方向である端面方向には動けないこと、軸が端面方向の動きが拘束されるように本体部の支持部分と係合しているので、支持部分と軸とは端面方向に分離せず、軸を介して本体部の端面方向への動きが拘束されること、その結果、本体部を端面方向に軸から取り外して、露出した軸を穴から抜き出すような操作ができないこと、装着部の固定部分が横材の固定位置に固定されていてその装着部分に本体部の取付部分が係合していて、本体部の他端側への動きが停止されること、その結果、本体部を他端側に移動させて本体部と軸とを分離して、軸を穴から抜き出すような操作もできないこと、建物の中に居る人が特定の部材を使用して中から軸移動部を操作すると軸が他端側の方向に移動可能なように端面の近くまで本体部の囲い部分で囲われていること、即ち、軸は本体部と係合してはいるが、例えば指で軸を容易につまめる程度に広く本体部から開放されていると、上記の特別の操作をしなくても、軸をつまんで他端側に移動させることが可能になるが、そのような操作ができず、上記のように特定の部材を使用して特別の操作を可能にするだけの範囲で他端側の近くまで囲われていること、等により、軸を介して、一端側の戸−中縦材−その穴−軸−本体部−装着部−装着部が取り付けられた横材−これを持つ他端側の戸、という順に係合関係ができ、戸の開閉及び本体部の横材からの脱離が阻止されるように補助錠が施錠状態になっている。
【００１３】
その結果、補助錠は、簡単に装着され得るが、装着されると、軸移動部を操作する以外の方法では、脱錠させるのがほとんど不可能なように施錠されている。
【００１４】
このような補助錠を脱錠させるときには、建物の中にいる人が建物の中から眼で見て操作すると軸を他端側の方向に容易に移動できるように形成されている軸移動部を操作することになる。ここで、本体部は前記の如くこのような操作が可能なように、例えば軸に直接又は軸に固定された他の部材に特定の部材と嵌合する凹部を形成させておき、この凹部で軸を穴から出すまでの範囲を外界に開いた状態で残して他の必要部分を本体部で囲うようにすれば、人が中から凹部を確認して特定の部材を凹部に嵌合させ、これを他端側に動かせば、付勢部材を圧縮して軸を他端側に動かし、一端側の部分を容易に穴から抜け出させることができる。
【００１５】
この場合において、付勢部材は軸を穴に入出可能にするものであればよいので、強い付勢力のものでなくてもよく、これを適当な付勢力のものにすれば、上記の特定の部材を用いた軸の移動操作は容易である。又、特定の部材は、合鍵のように特殊なものであってもよいが、形状が特定されるものであればよく、例えば通常家に多数存在する爪楊枝のようなものであってもよい。
【００１６】
このようにして軸の一端側を穴から出すと、本体部と軸とが一体で穴とは無関係になり、本体部の取付部分を装着部の装着部分から取り外し、脱錠状態にすることができる。そして、戸の開閉を可能にすることができる。この場合、装着部分は、本体部の他端側への動きを停止させるように本体部の取付部分と係合すればよいので、軸が穴から抜ければ、これを含む本体部を装着部から取り外すのは容易である。なお、取付部分と装着部分との係合関係は、実際には、他端側の停止に加えて、着脱容易で装着関係がある程度確実に維持されるように適当な嵌脱可能状態にされることが多い。
【００１７】
このような補助錠が装着され施錠された建物に他人が不法に侵入しようとするときには、まず窓ガラスの中間高さ部分の一部分を手が入る程度に割って手を入れ、戸の本錠であるクレセントを外し、戸を開けようとする。しかし戸が開かないので、このときサブロックや補助錠があることに気が付き、再度その部分の近くのガラスを割り、片手を中に入れてこれを開けようとする。しかし、本発明を適用した補助錠では外から触れる鍵穴や突出又は退避するようなものがなく、鍵の構造が全く分からず、通常この段階で侵入を中止することになる。
【００１８】
しかし、この補助錠が仮に市場に出回って周知になったとすれば、侵入者はその構造をある程度知っているので、手持ちの道具を使用して軸を他端側に移動させようとする。しかし、そのためには特定の部材を用意する必要があり、この特定の部材は多種多様な形状に製作可能であるため、仮に何種類か持っていたとしても、侵入しようとする建物の補助錠に適合するものを持っている可能性は余り高くはなく、仮に持っていたとしても、それを選別確定し難しい操作をして脱錠させるのは容易ではない。
【００１９】
その結果、侵入を開始してから５分間程度で補助錠まで開けられる可能性はほとんどなく、結局侵入を放棄して退散することになる。この場合、特定の部材と軸とを嵌合関係にするときには、室内から眼で見た操作は容易であるが、外から片手で嵌合部分を全く見ることなく操作するのは困難なような適当な構造にすることは容易である。
【００２０】
又、穴が通常中縦材の端面の真ん中部分に明けられること、中縦材の外側面と横材の中側面との間には隙間があること、軸を適当な長さにして本体部の装着部への取付部分を端面から他端側に適当に離すことができること、等により，サッシの戸に常備されていることが多くなっているサッシ付き補助錠であるサブロックの取付位置を回避して本発明の補助錠を取り付けることができる。そしてこのような場合には、本補助錠がサブロックの上を覆うような形になるので、サブロックの脱錠が困難になるという効果も生ずる。
【００２１】
請求項２の発明においては、囲い部分のうちの一端側の端から一部分の範囲のものを端面から離れる方向に回転可能な開閉部分として形成しているので、施錠状態で開閉部分を回転させて端面から離すと、中縦材の端面との間に隙間ができる。その結果、この隙間分だけ装着部が固定された横材側の戸を中縦材側の戸の方向に移動させ、戸枠に対して横材側の戸を前記隙間分だけ開いて、その狭い開部分を換気用の隙間として利用することができる。
【００２２】
この場合、軸はその一端側が穴に入出可能なように、即ち軸方向に移動可能なように本体部の支持部分と係合しているので、横材側の戸が移動し横材及びこれに固定された装着部を介して本体部が移動することが可能になっている。又、本体部の一部分である開閉部分が軸と係合している場合には、軸を他端側に動かして軸との係合関係を解除した後開閉部分を回転させることになる。
【発明を実施するための最良の形態】
【００２３】
図１は本発明を適用した補助錠及びこれが装着されるサッシの一部分の構造例を示し、（ａ）は斜視図で（ｂ）は平面図である。図２はこの補助錠の正面、側面及び軸を含む部分の縦断面を示す。主としてこれらの図に基づいて説明し、他の図を参照するときには図番を示す。
【００２４】
本例の補助錠は、縦材１と横材２とで組まれたサッシを備えた中側戸１０と外側戸２０とで横方向であるＸ方向に引き違いに動かされて建物の中１００と外２００とを仕切るように形成された窓や障子や出入り口等の戸に用いられる。この戸は、縦材のうち施錠される側のものである中縦材１の端面１１に開口しこれからＸ方向に明けられていて中縦材１と横材２とを組み立てるための穴３を備えている。本例の補助錠は、上下の横材のうちの図において左側の横材２に取り付けられる。
【００２５】
なお図１では、戸枠側の縦材及び上の横材の図示を省略している。又、縦材１のうち中縦材を符号１で示し、図示されている外２００側の縦材を符号１1 で示し、同様に縦材１1 と組み合わされる横材を符号２で示し、図示されている中１００側の横材を符号２1 で示している。
【００２６】
この補助錠は、軸４、付勢部材であるバネ５、本体部６、装着部８、軸移動部９等を有する。軸４は、本体部６が装着部８に装着されているときに、その一端側４１が穴３に入出可能で、Ｘ方向に直角な端面方向であるＹ−Ｚ面方向の動きが拘束されるように本体部６の支持部分である本例では３箇所に設けられた受け板６１、６２、６３の穴と係合している。
【００２７】
即ち、本例では、穴３が丸穴で軸４はこれに合うように丸軸になっていて、その直径は、軸４が穴３に容易に入出可能なように穴３の直径より少し小さくこれに近い直径になっていると共に、受け板６１〜６３に軸径より少し大きい直径の丸穴が明けられてこの中に軸が入った係合状態になることにより、軸４が穴３の方向であるＸ方向に向くと共にこれに直角なＹ−Ｚ面の方向の動きが拘束されている。その結果、軸４と本体部６とがＹ−Ｚ面方向に分離しないように一体化されている。
【００２８】
又軸４は、一端側４１が穴３に入るようにバネ５と係合する軸側係合部である軸側バネ受け４２を備えている。即ち、本例ではバネ５が圧縮バネになっていて、軸側バネ受け４２は、図３（ａ）及び（ｂ）にも示す如く、軸４に溶接によって固定されていてバネ５の先側の方向であるＸ1 方向への力を受けるようにその先端５１を受け止めるようにバネ５と係合している。なお、軸側バネ受け４２は、Ｘ方向に拘束されず自由な位置で放置されていてもよいが、本例では、バネ５が伸びた位置又は僅かに圧縮された位置になるように即ちバネ５は伸縮可能なように本体部６の受け板６２に当たっていて、この位置で軸４の一端側４１が穴３に目的とする長さまで入るように位置決めされている。なお、軸４の後端にはフランジ４３が固定されていて、これが受け板６３と接触することによっても、軸４のＸ1 方向への動きが停止されている。
【００２９】
軸４は更に、一端側４１が穴３に入れられているときに、建物の中１００に居る人が特定の部材として例えば小サイズのプラスドライパーを使用して中１００からそのプラス部分が嵌合するプラス形状の溝から成る軸移動部９を操作すると、軸４が他端側の方向であるＸ2 方向に移動可能なように端面１１の近くまで本体部６の囲い部分である本例では正面板６４の大部分及び上面板６５で囲われている。
【００３０】
即ち、本例では、軸４が６mm程度の直径で１１０mm程度の長さになっていて２５mm程度の穴３に入っている部分を除いた８５mm程度の長さ部分を正面板６４及び上面板６５で囲い、直接手で又はペンチ等の道具を使用して軸４の一部分を把持してＸ2 方向に移動させることができないようにされていると共に、小サイズのドライバーを持っている人が中１００から軸移動部分９を目で確認しつつ操作すれば容易に軸４を動かせるが、建物に侵入しようとする者が窓を割ってそこから片手だけを突っ込んで何も見えない状態で丁度適合する道具を使用することなく軸移動操作をするのは極めて難しいようにされている。
【００３１】
正面板６４には、上記の軸移動操作ができるように、長穴６４a が明けられている。本体部６の下側は、戸のレール部分との間隔が十分狭くなっていて、下から軸４を操作することはできないため開放されている。又、装着部８に取り付けられている本体部６の先側の部分は、横材２の中１００側の面である横材表面２１から離れているが、その間隔が狭くこの部分から軸４を操作することはできないため、横材表面２１に対向する部分には、後述する先側裏面板６６があるだけで開放されている。なお、補助錠の寸法等によっては、これらの部分も囲われていてもよい。
【００３２】
バネ５は、軸４がＸ2 方向に動かされるとバネ５を圧縮するように付勢して一端側４１が穴３から出るように、前記軸側バネ受け４２と本体側係合部分である本体部６の前記受け板６３とに係合している。受け板６３は、図３（ｃ）にも示す如く、コの字形で本体部４の正面板６４及び後述する背面板６７にネジ止めされている。このようにして、バネ５は、中間の受け板６２及び後端の受け板６３との間に介在し前記の如く自由に伸びているか又は僅かに圧縮されていて、更に十分圧縮されると、軸４がＸ2 方向に移動し、一端側４１が穴３から抜け出るようになっている。
【００３３】
本体部６は、支持部分である前記受け板６１〜６３、囲い部分である前記正面板６４及び上面板６５、本体側係合部分でもある上記受け板６３、軸４が穴３に入っているときに少なくともＸ2 方向への動きが停止されるように装着部８の装着部分である切欠き端８１に取り付けられる取付部分としての停止回転軸６８及び本例ではその装着側端のフランジ６９、等を備えている。
【００３４】
停止回転軸６８は、両端が正面板６４と背面板６７に固定された筒７０の中に入れられている。その先端側は筒７０から突出していて、その先端に前記フランジ６９が固定されている。又、その後端側及びこれに対応する筒７０の部分にはネジ７１が切られていて、停止回転軸６８を適当に回転させることにより、本体部材６のＹ方向の取付位置を微調整し、軸４の一端側４１と穴３の位置とを合わせるようにしている。なお、加工時の寸法精度を良くすることにより、このような調整機構を省略することができる。
【００３５】
本例の本体部６では、装着側のものから分離された先側正面板６４1 、先側上面板６５1 及び前記先側裏面板６６からなるＸ1 側の端から一部分の範囲のものは、端面１１から離れる方向で本例では上方に回転可能な開閉部分７２として形成されている。即ち、それぞれの板を本体側のものから分離させ、正面板６４及び裏面板６６にピン７３、７４を介して連結板７５で連結し、ピン７４を中心として開閉部分７２が上方に１８０°回転し、端面１１から離れて端面１１との間に図５にも示す間隔ｄができるように形成されている。
【００３６】
装着部８は、横材２の中１００の側の面である前記横材表面２１の固定位置であって本体部６が取り付けられたときに軸４を穴３に入出可能にする固定位置に固定される固定部分である底板８２と前記切欠き端８１とを備えている。なお本例の装着部８では、本体部６の着脱を可能にしつつその取付状態をより強固で安定したものにするために、底板８２と上板８３とを連続させて間隔ｃを空けて一体形成し、図３（ｄ）にも示す如く、上板８３に前記切欠き端８１とこれから連続し停止回転軸６８が通過可能な切欠き溝８４及びフランジ６９の通過穴８５を明け、この穴を通過したフランジ６９が僅かな隙間を持って間隔ｃに入るような構造にしている。従って、本例では上板８３、切欠き溝８４及び通過穴８５も装着部分になっている。
【００３７】
底板８２は横材表面２１に接着剤で強固に固定されている。なお、ネジ止め等で固定されてもよい。装着部８の横材表面２１からの突出寸法は、本体部６を装着部８から取り外しているときに、中外の戸１０又は２０が開閉可能なように中縦材１の裏面１２と干渉しない位置にされている。なお、図１（ｂ）では、戸の鍵としてクレセントと共にサブロック３００が取り付けられるときの取付状態を二点鎖線で示している。
【００３８】
軸移動部９は、前記の如く建物の中にいる人が中から特定の部材を使用して操作すると軸４をＸ2 方向に容易に移動できるように形成されている、即ち、軸移動部と特定の部材とは特定の部材によってこのような操作が可能な係合関係で通常嵌合関係になるように形成される。従って、本例では軸側バネ受け４２に小サイズのプラス溝を形成し軸移動部９としこれを小サイズのプラスドライバーで操作するようにしているが、このプラス部分をマイナスや三角や四角や丸等の種々の形状及びサイズのものに変え、特定の部材をそれらのうちの採用されたものに対応させるようにすることができる。
【００３９】
その結果、侵入者の外からの操作では、特定の部材を溝形状及び寸法に合わせて穴から軸を引き出すのが極めて困難になる。なお、中の人が保有しているべき特定の部材を一時的に紛失したようなときには、中から目で見てある程度の時間をかけて操作するようにすれば、例えば爪楊枝や錐や針のような道具を用いて軸を動かして脱錠させることも可能である。
【００４０】
このような軸移動部９としては、軸側バネ受け４２を使用せず、直接軸の円周方向の種々の場所に種々の形状の溝を彫る等の他の適当な手段を用いることができる。例えば図３（ｅ）に示す如く、長穴６４a の中心に対応する位置より斜め上の位置に球面溝９1 を彫り込み、これに適合する先端が球面のＬ形部材９１を使用するようなときには、外から操作し軸４を動かして脱錠させることはほとんど不可能になる。この場合、球面溝９1 を直接見えないか又は見えにくい位置にするときには、見えやすい正面に浅い溝等のマークを付けておくことにより中からは容易に操作可能になる。なお、バネ５は、僅かなバネ力のもので足りるので、そのようなバネを使用すれば、このような形状の溝及び操作部材であっても、中から軸４を動かして容易に脱錠させることができる。
【００４１】
以上のような補助錠は次のように使用されてその作用効果を発揮する。
本体部６を装着部８に装着するときには、まず図４（ａ）に示す如く、停止回転軸６８の先端のフランジ６９を通過穴８５から間隔ｃ（図２（ｂ））に入れ、停止回転軸６８を切欠き溝８４に沿わせてＸ2 方向に移動させ、切欠き端８１に当てて停止させる。
【００４２】
なお、装着部８は、その一部分を図５（a ）〜（ｃ）に示す如く、より簡単な構造にすることも可能である。（ａ）のように、通過穴８５及び切欠き溝８４を形成させることなく、底板８２から上板８３を折り曲げて切欠き端８１を形成させただけの装着部分にすることも可能であり、その場合には、取付状態の自由度は多くなるが、操作はより簡単になる。又、（ｂ）、（ｃ）のように、フランジ６８を設けないと共に装着部分を底板８２を折り曲げただけの単なる停止板８１´にすることも可能である。その場合には、この段階での取付操作はなくなる。
【００４３】
次に図４（ｂ）に示す如く、バネ５によって軸４がほぼ自然に伸びていて穴３に入るように本体部６の先端側から突出している一端側４１の先端４１a を指先で矢印押し、バネ４を圧縮して軸４の先端を本体部の先端位置まで縮めて、停止回転軸６８を介して本体部４を端面１１に近づけるように図において右回転させ、指を離して軸４の先端を端面に沿わせつつ更に僅かに回転させて穴３の位置に到達させると、バネ４の付勢力によって軸４の一端側４１が穴３の中に入る。これにより、図１に示すように、軸の一端側４１が穴３に入ってＹ−Ｚ面方向の動きが阻止されると共に、本体部４の先端が端面１１に近い位置になり、装着部８によってＸ2 方向の動きが停止され、施錠状態になる。このような操作は、一連の簡単な操作であり容易である。従って容易に施錠することができる。
【００４４】
この場合、装着部８は、このように軸４の一端側が穴３に入出可能な位置に固定されている。装着面に直角な方向も同様にされているが、この方向では、停止回転軸６８を回転させてネジ７１によって筒７０の中で進退させることにより、位置の微調整が可能にされている。その結果、穴３と軸４との直径隙間を例えば０．５mm程度に小さくしても、軸４を穴３に入出させることができる。
【００４５】
この施錠状態では、軸４が穴３に入っていて軸４は軸方向であるＸ方向には動けるがその横断面方向であり端面方向であるＹ−Ｚ面の方向には動けないこと、軸４が、端面方向の動きが拘束されるように受け板６１〜６３の中の軸より少し大きい直径の穴の中に入っているので、受け板と軸とは端面方向に分離せず、結局軸４を介して本体部６の端面方向への動きが拘束されていること、その結果、本体部４を端面方向に軸３から分離させて、露出した軸４を穴３から抜き出すような操作ができないこと、装着部８の底板８２が横材表面２１の固定位置に固定されていて切欠き端８１に停止回転軸６８が当たっていて、本体部６のＸ2 方向への動きが停止されていること、その結果、本体部６をＸ2 方向に移動させて軸４と分離させ、軸４を穴３から抜き出すような操作もできないこと、正面板６４及び上面板６５によって軸４が囲われていて、その裏面及び底面側は狭くなっていて手や道具によって軸４を軸方向に動かすことが困難になっていること、本体部４の先端が端面１１に近い位置になっていること、等により、軸４を中１００から特定の部材を用いてＸ2 方向に動かす操作をしない限り、施錠状態を解除できないようになっている。
【００４６】
なお本例では、停止回転軸６８を切欠き溝８４によって上下から挟んでいるので、停止回転軸６８を介して軸４の上下Ｚ方向への動きが確実に阻止されていると共に、停止回転軸６８の先端のフランジ６９を間隔ｃの中に入れて溝を形成している上板８３で押さえているので、Ｙ方向への動きも確実に阻止されていて、施錠状態が完全になっている。
【００４７】
但し、軸４は、通常穴３に狭い隙間で精度良く入れられていてその曲げ強度が十分あるため、Ｘ2 方向の動きを停止させれば、補助錠は容易に破壊せず又本体部６と軸４とが容易に分離することもないため、侵入者が無理に脱錠させようとしても、脱錠させることは容易でないため、図５で説明したように、装着部分を簡略な構造にすることも可能である。
【００４８】
このような補助錠は、建物の中１００に居る人が、特定の部材として本例では小さいプラスドライバーを用いて建物の中から操作すると、軸４をＸ2 の方向に容易に移動させて脱錠させることができる。即ち、嵌合部分が小さくても、その位置を知っていると、その位置を確認しつつプラス溝にプラスドライバーを簡単に嵌め込み、その状態を保持して嵌合部をＸ2 方向に動かし、軸４の先端部材４１が穴３から抜け出すと、そのまま図４（ｂ）の反対の方向である図において下から上に左回転させ、順次本体部４を装着部８に装着させたときの反対の操作をすることにより、脱錠させることができる。
【００４９】
このような操作も、嵌合部の嵌合−横移動による軸の引き抜き、本体部の回転、装着部での本体部の横移動、装着部からの取り外しという一連の簡単な流れ操作であるので、中１００からの補助錠の脱錠操作は容易である。なお、図３（ｅ）のように嵌合溝が見えにくい位置や直接見えない位置にあっても、中１００の人はその位置を熟知しているので、上記と同様に簡単に操作することができる。
【００５０】
このような補助錠が装着され施錠された建物の中１００に侵入者が外から侵入しようとするときには、まず戸２０の窓ガラスの中間高さ部分の一部分を手が入る程度に割って手を入れ、戸の本錠である図示しないクレセントを外して戸を開けようとする。しかし戸が開かないので、このときサブロックや補助錠があることに気が付き、再度その部分の近くのガラスを割り、片手を中に入れてこれを開けようとする。しかし、本発明を適用した補助錠では外から触れる鍵穴や突出又は退避したようなようなものがないため、通常、鍵の構造が分からず脱錠できない。
【００５１】
又、侵入者が本発明の補助錠の構造をある程度知っていたとしても、補助錠としては種々のものが市場に出回っているので、脱錠のための特別の部材を多く準備し、それらの取り替え使用を繰り返してその中の使用可能なものを選別決定し、更に手さぐりで操作して軸４の引き抜きから本体部６の取り外しまでの操作を、侵入を開始してから５分程度までの時間でできる可能性は殆どない。従って、本発明の補助錠によれば、確実に侵入者の侵入を阻止することができる。特に例えば図３（ｅ）のような嵌合構造のものでは、脱錠は不可能である。
【００５２】
なお、本例の補助錠のように、本発明を適用したものでは、通常サッシの戸に常備されているサブロックの取付位置を回避して取り付けることができ、そのようにしても脱錠しない限り戸２０は開かないので、装着が容易であると共に安全性が高い。又、サブロックとクレセントとを含めて三重の錠が構成されるので、極めて侵入防止効果が大きい。
【００５３】
このような施錠状態において必要時に中１００を換気可能にしようとするときには、前記の操作によって一端側４１を穴３から抜き出して本体部６を上方に回転させ、更に少しＸ2 方向に移動させてその先端を受け板６１の受け穴から抜き出し、ピン７４を中心として連結板７５と共に開閉部分７２を更に左回転させ、図６（ａ）に示す如く、結局本体部６の上面板６５の上に反転させ、その後本体部６を右回転させて施錠状態になるように軸の一端側４１を再び穴３の中に入れる。
【００５４】
これにより、端面１１との間に間隔ｄが形成され、この間で開閉部分７２が回転退避していて、換気するために施錠状態でこの間隔分だけ戸１０又は２０を開くことができる。図６（ｂ）では、中縦材１を持つ中側戸１０を動かて間隔ｄを詰めた状態を示す。これにより、中側戸１０の図示しない戸枠側に戸枠との間で間隔ｄが生じていて、この部分が換気通路になる。
【００５５】
なお、本例では開閉部分７２の受け板６１が軸４を嵌め込んでいる構造になっているが、受け板６１をなくして開閉部分７２が軸と関係なく開閉可能にされていてもよい。即ち、このような換気用の間隔ｄは例えば２５mm程度以下にされるので、開閉部分７２を開いてこの部分の軸４を露出させたとしても、この部分を利用して軸４を穴３から抜き出す操作はできず、戸１０又は２０をレールから外すような操作もできないので、施錠状態を維持することができる。
【産業上の利用可能性】
【００５６】
本発明は種々の建物の防犯用として広範な用途に好都合に利用される。
【図面の簡単な説明】
【００５７】
【図１】本発明を適用した補助錠とこれを含むサッシの一部分を示し、（ａ）は斜視図で（ｂ）は一部断面を含む平面図である。
【図２】（ａ）乃至（ｃ）はそれぞれ、上記補助錠の正面図、側面図及び軸を含む部分の縦断面図である。
【図３】（ａ）乃至（ｅ）は上記補助錠の部分構造を示し、（ａ）は軸側バネ受け部分の正面図、（ｂ）はその斜視図、（ｃ）は本体側バネ受け及び軸受け部分の斜視図、（ｄ）は装着部の平面図、（ｅ）は軸移動部の他の例の説明図で断面状態を示す。
【図４】（ａ）及び（ｂ）は本体部の装着及び施錠操作の説明図である。
【図５】（ａ）乃至（ｃ）は装着部分の他の例を示し、（ａ）及び（ｂ）は平面図で（ｃ）は正面図である。
【図６】（ａ）及び（ｂ）は換気のための操作の説明図である。
【符号の説明】
【００５８】
１            中縦材、縦材
２            横材
３            穴
４            軸
５            バネ（付勢部材）
６            本体部
８            装着部
９            軸移動部          
１０          中側戸
１１          端面
１２          先側囲い部分（一部分の範囲のもの）
２０          外側戸
２１          横材表面（中の側の面）
４１          一端側
４２          軸側バネ受け（軸側係合部）  
６１          軸受け板（支持部分）
６２、６３    受け板（支持部分、本体側係合部分）
６４          正面板（囲い部分）
６４1         先側正面板（一部分の範囲のもの）
６５          上面板（囲い部分）
６５1         先側上面板（一部分の範囲のもの）
６７          停止回転軸（取付部分）      
６８          フランジ（取付部分）                
７１          先側裏面板（一部分の範囲のもの）
７２          開閉部分
８１          切欠き端（装着部分）
８２          底板（固定部分）
８３          上板（装着部分）
８４          切欠き溝（装着部分）
８５          通過穴（装着部分）      
９１          Ｌ形部材（特定の部材）
１００        中
２００        外
Ｘ            横方向
Ｘ2           他端側の方向
【図１】
2007023506.tif 000003
【図２】
2007023506.tif 000004
【図３】
2007023506.tif 000005
【図４】
2007023506.tif 000006
【図５】
2007023506.tif 000007
【図６】
2007023506.tif 000008